(57)【要約】【課題】  本発明は、貴重印刷物の意匠とすべく複雑な画線を成す印刷物に適用可能な階調画像を有する真偽判別可能な印刷物が得られる。【解決手段】  基材上に、２種類の図形が複数配置されて連続階調模様を形成した印刷物であって、２種類の図形は、それぞれが商標、家紋、ロゴマーク、シンボルマーク又は文字等を一つの連続階調再現用の網点パターンであり、２種類の図形の中の第１の図形は、赤外線吸収色素を含まないインキを用いて規則的に配置されて可視の連続階調模様を形成し、第２の図形は、金属粉を含むインキ又は金属箔を含む転写シートを用いて規則的に配置されて不可視の連続階調模様を形成し、規則的に配置された夫々の第２の図形上に、規則的に配置された夫々の第１の図形が対応して重なって配置され、夫々の第２の図形は、夫々の第１の図形により隠蔽されていることを特徴とする連続階調模様を有する印刷物。【選択図】  図３
2008132602.tif 000002
【特許請求の範囲】
【請求項１】
基材上に、２種類の図形が複数配置されて連続階調模様を形成した印刷物であって、前記２種類の図形は、それぞれが商標、家紋、ロゴマーク、シンボルマーク又は文字等を一つの連続階調再現用の網点パターンであり、前記２種類の図形の中の第１の図形は、赤外線吸収色素を含まないインキを用いて規則的に配置されて可視の連続階調模様を形成し、第２の図形は、金属粉を含むインキ又は金属箔を含む転写シートを用いて規則的に配置されて不可視の連続階調模様を形成し、前記規則的に配置された夫々の第２の図形上に、前記規則的に配置された夫々の第１の図形が対応して重なって配置され、前記夫々の第２の図形は、前記夫々の第１の図形により隠蔽されていることを特徴とする連続階調模様を有する印刷物。
【請求項２】
前記第１の図形は、前記第２の図形が視認不可能な色彩のインキで印刷されていることを特徴とする請求項１記載の連続階調模様を有する印刷物。
【発明の詳細な説明】
【技術分野】
【０００１】
本発明は、紙幣、パスポート、有価証券及びカード等（以下「貴重印刷物」という。）を含む偽造防止及び改ざん防止機能が必要とされる印刷物に利用されるものである。
【背景技術】
【０００２】
近年、カラー複写機の高画質化及びカラー製版技術のコンピュータ化に伴い、紙幣や有価証券類の偽造手段が多様化する傾向にある。特に、印刷産業分野で使用される画像入出力機器の解像度が著しく向上し、有価証券類に使用されている細線や微小文字の抽出が容易になってきた。このことは、単に４色の網点構成から成る一般商業印刷法による偽造だけではなく、現在の有価証券の多くに採用されている地紋、彩紋及びレリーフ模様等、白黒２値で構成されたものが、スキャナ等の入出力機器により、高精度に抽出でき、特色版を多用したものより本格的な偽造券が増えてきた。
【０００３】
そこで近年の偽造に対応すべく、本出願人が先に出願した特開２００３−１３６８２８では、２種類の網点画像を同一平面上に均等配置する場合において、一般の商業印刷で使用されている赤外線吸収性色素を含まないシアン（Ｃ）、マゼンタ（Ｍ）、イエロー（Ｙ）と、赤外線吸収性色素を含むブラック（Ｂｋ）の基本４色インキを用いて、可視及び不可視画像を生成し、現在の写真製版装置では複製が不可能であり、特殊鑑定装置等を用いない限り画像を認識することができない不可視画像を安価に印刷する網点印刷物及びその印刷方法を提供した。
【０００４】
しかし、特開２００３−１３６８２８では、赤外線吸収性色素を含むブラック（Ｂｋ）が有効に作用しながらも、ブラック（Ｂｋ）という低明度（高濃度）の印刷色が印刷面のデザインに大きく影響している。すなわち、赤外線カメラ等で印刷面を観察する際に、ブラック（Ｂｋ）によって施されている不可視画像の鮮明化を図ると、必然的にブラック（Ｂｋ）に用いる網点の最大面積率が大きくなり、肉眼で観察する可視画像が全体的に黒ずんだ状態になるという問題もある。
【０００５】
また、貴重印刷物の意匠は、偽造防止及び改ざん防止を目的として複雑な画線構成になっているのが一般的である。これに対して、特開２００３−１３６８２８は、連続諧調画像を表現することのみを目的とした単純な網点によるものであり、複雑な模様で構成する貴重印刷物のデザインには不向きという問題もある。
【０００６】
一方、貴重印刷物の意匠に連続諧調要素を設けて一層複雑な図形を作成できる技術として、本出願人が先に出願した特開平１１−２６８２２８がある。これは、任意の図形を基にハーフトーンスクリーンを生成する技術であるが、単色印刷表現での意匠の複雑さを高めた技術であり、不可視画像を含めることはできなかった。
【０００７】
【特許文献１】特開２００３−１３６８２８
【特許文献２】特開平１１−２６８２２８
【発明の開示】
【発明が解決しようとする課題】
【０００８】
上記の問題にかんがみ、貴重印刷物の意匠とすべく複雑な画線を成す印刷物が求められている。
【０００９】
すなわち、それぞれ異なる意匠による、それぞれ２種類の図形から成る網点画像を備えた印刷物において、第１の図形は、赤外線吸収性色素を含まない有色インキで印刷し、第２の図形は、金属紛を含むインキ又は金属箔を含む転写シート並びに該物質及び赤外線吸収性色素を含まない有色インキで印刷することによって、可視の状態では第１の図形が認識され、第２の図形が隠蔽されていることを認識するのは困難な印刷物を得ることを目的とするものである。
【００１０】
また、該印刷物を赤外線下で観察すると、第１の図形は認識できず、第２の図形を認識することができる。また、金属紛を含むインキ又は金属箔を含む転写シートを用いていることから、印刷物をＸ線等の電子線照射によっても第２の図形を確認することを目的とするものである。
【課題を解決するための手段】
【００１１】
本発明は、基材上に、２種類の図形が複数配置されて連続階調模様を形成した印刷物であって、２種類の図形は、それぞれが商標、家紋、ロゴマーク、シンボルマーク又は文字等を一つの連続階調再現用の網点パターンであり、２種類の図形の中の第１の図形は、赤外線吸収色素を含まないインキを用いて規則的に配置されて可視の連続階調模様を形成し、第２の図形は、金属粉を含むインキ又は金属箔を含む転写シートを用いて規則的に配置されて不可視の連続階調模様を形成し、規則的に配置された夫々の第２の図形上に、規則的に配置された夫々の第１の図形が対応して重なって配置され、夫々の第２の図形は、夫々の第１の図形により隠蔽されていることを特徴とする連続階調模様を有する印刷物である。
【００１２】
本発明における第１の図形は、第２の図形が視認不可能な色彩のインキで印刷されていることを特徴とする連続階調模様を有する印刷物である。
【発明の効果】
【００１３】
貴重印刷物の意匠とすべく複雑な画線構成を成し、それぞれ異なる意匠によるそれぞれ２種類の図形から成る網点画像を備えた印刷物において、第１の図形は、赤外線吸収性色素を含まない有色インキで印刷し、第２の図形は、金属紛を含むインキ又は金属箔を含む転写シート並びに該物質及び赤外線吸収性色素を含まない有色インキで印刷することによって、可視の状態では第１の図形が認識され、第２の図形が隠蔽されていることを認識するのは困難な印刷物を得ることができる。
【００１４】
また、該印刷物を赤外線下で観察すると、第１の図形は認識できず、第２の図形を認識することができる。また、金属紛を含むインキ又は金属箔を含む転写シートを用いていることから、印刷物をＸ線等の電子線照射によっても第２の図形を確認することができる。
【発明を実施するための最良の形態】
【００１５】
金属紛を含むインキ又は金属箔を含む転写シート（以下「金属インキ」という。）においては、可視光でも赤外光でも網点画像を観察できることから、赤外線吸収性色素を含まない有色インキを可視光観察できる可視画像とし、金属インキを赤外光でのみ観察できる不可視画像とすることができる。以下、図面に基づいて本発明の実施の形態を詳細に説明する。
【００１６】
図１は、それぞれ２種類の図形が基材に重ねて印刷されている状態を示したものである。２種類の図形はそれぞれ具象的な意匠を成し、画線面積によって形状の変容を伴っている。さらに、それら２種類の図形は、赤外線吸収性色素を含まない第１の図形と、金属インキから成る第２の図形とが重ねているものである。例えば、第２の意匠「月と星」のイラストレーションの図形ｑ２を金属インキで印刷し、更にその上に、例えば第１の意匠「太陽」のイラストレーションの図形ｑ１を赤外線吸収性色素を含まないインキで印刷する。
【００１７】
図形ｑ１は図形ｑ２を完全に隠蔽していおり、印刷物を可視光下で観察した際には図２（１）のように図形ｑ１が見え、赤外線カメラでは図２（２）のように第１の意匠「太陽」を構成する図形ｑ２を観察することができる。このとき、赤外線吸収性色素を含まないインキは、金属インキの乱反射の明度よりも低い明度の有色インキとするものである。
【００１８】
図３は、図１で示した図形ｑ１と図形ｑ２を基に作成された連続諧調再現用の網点パターンＳ１及びＳ２の構成を示すものである。この網点パターンとは、任意の写真諧調を有するグレースケール画像に対し、該網点パターンが備えている図形的特長を基に画線面積率の調整を図った２値画像を作成するための画像ファイルである。
【００１９】
網点パターンＳ１は、図形ｑ２を隠蔽する図形ｑ１の基となるものである。少なくとも図形ｑ１の最小画線面積は、図形ｑ２の最大画線面積よりも大きいことが必要であるから、網点パターンＳ１に備える最小画線面積は、図形Ｓ１ａとなる。これにより図形Ｓ１ａは、図形ｑ２の最大画線面積と画線形状を含み持ち、第１の意匠「太陽」を形成する図形となっている。なお、網点パターンＳ１に備える最大画線面積は図形ｑ１そのものの形である図形Ｓ１ｄとなる。
【００２０】
また、網点パターンＳ２は、図形ｑ１に完全に隠蔽される図形ｑ２の基となるものであるから、図形ｑ２の最大画線面積は、図形ｑ１の最小画線面積よりも小さいことが必要である。したがって、網点パターンＳ２に備える最大網点面積は、網点パターンＳ１の最小網点面積の図形Ｓ１ａよりも画線面積の小さい図形Ｓ２ａとなる。これにより、図形ｑ１の最小画線面積未満でありながら第２の意匠「月と星」を形成する図形となっている。
【００２１】
さらに、図３に示す網点パターンＳ１及び網点パターンＳ２は、グレースケール画像に対し、それぞれの網点パターンが備えている図形の特長を基に画線面積率の調整を図った２値画像を作成するため、段階的な２値化を奏するための図形を設けている。すなわち、網点パターンＳ１は、「太陽」の意匠的特長を保ちながら網点図形Ｓ１ａ、Ｓ１ｂ、Ｓ１ｃ、Ｓ１ｄと段階的に画線面積率を増やしてある。また、網点パターンＳ２は、「月と星」の意匠的特長を保ちつつ、網点図形Ｓ２ａ、Ｓ２ｂ、Ｓ２ｃ、Ｓ２ｄと段階的に画線面積率を増やしてある。
【００２２】
次に、例えば、画像中心から外側に連続諧調を有するグレースケール画像を、網点パターンＳ１を用いて２値化すると、図４に示すように第１の意匠「太陽」のイラストレーションの図形ｑ１が画線面積率の変化をもって多角形配列（本実施例では正方形配列）された図形群から成る網点画像Ｐ１のようになる。
【００２３】
また、例えば、画像上部から下部に連続諧調を有するグレースケール画像を、網点パターンＳ２を用いて２値化すると、図５に示すように、第２の意匠「月と星」のイラストレーションの図形ｑ２が画線面積率の変化をもって多角形配列（本実施例では正方形配列）された図形群から成る網点画像Ｐ２のようになる。
【００２４】
この規則的に配置された網点画像Ｐ２を金属インキで印刷し、更にその上に、例えば第１の意匠「太陽」のイラストレーションの図形ｑ２を赤外線吸収性色素を含まないインキで印刷する。図形ｑ１は図形ｑ２を完全に隠蔽しており、印刷物を可視光下で観察した際には図２（１）のように図形ｑ１が見え、赤外線カメラでは図２（２）のように第１の意匠「太陽」を構成する図形ｑ２を観察することができる。
【００２５】
以上のようにして本実施例により得られる印刷物は、可視の状態では、赤外線吸収性色素を含まないインキで印刷された図形が認識され、この印刷物を赤外線下で観察すると潜像として金属インキで印刷された図形を認識することができる。なお、赤外線吸収性色素を含まないインキ及び金属インキに用いる材料は何ら限定するものではない。また、第１の図形及びに第２の図形は、商標、家紋、ロゴマーク、シンボルマーク及び文字等の意匠性を有する図形であり、図形の意匠を何ら限定するものではない。
【図面の簡単な説明】
【００２６】
【図１】第１の図形と第２の図形を重ねて印刷した模様を示す図。
【図２】本発明の連続階調模様を有する印刷物を、可視光下で観察した場合と赤外線カメラを用いて観察した場合を示す図。
【図３】図１で示した図形ｑ１及び図形ｑ２を基に作成された連続階調再現用の網点パターンＳ１及びＳ２の構成を示す図。
【図４】画像中心から外側に連続階調を有するグレースケール画像を、網点パターンＳ１を用いて２値化した図。
【図５】画像上部から下部に連続階調を有するグレースケール画像を、網点パターンＳ２を用いて２値化した図。
【符号の説明】
【００２７】
Ｐ１            網点画像
Ｐ２            網点画像
ｑ１            図形
ｑ２            図形
Ｓ１            網点パターン
Ｓ１ａ〜ｄ        網点図形
Ｓ２            網点パターン
Ｓ２ａ〜ｄ        網点図形
【図１】
2008132602.tif 000003
【図２】
2008132602.tif 000004
【図３】
2008132602.tif 000005
【図４】
2008132602.tif 000006
【図５】
2008132602.tif 000007